(57)【特許請求の範囲】
【請求項１】
水分を含むことが可能でかつ芝生の根が成長可能な人工土壌による芝生の育成方法であって、
前記人工土壌の上面に芝生の種或いは発育初期の芝生を植えるとともに、前記人工土壌内の水位を人工土壌のほぼ上面の位置とし、
次いで、前記人工土壌内の水位を人工土壌内に植えられた芝生の根の成長に応じて芝生の根の先端部近くに位置するように下げていくことを特徴とする芝生の育成方法。
【請求項２】
請求項１記載の芝生の育成方法による芝生育成の際に用いられる芝生育成用ユニットであって、
地盤に敷設されるとともに縁部が立ち上げられて内部に水を保持可能な遮水シートと、
前記遮水シート上に載置され、水分を含むことが可能でかつ芝生の根が成長可能な人工土壌と、
前記人工土壌の水位を、芝生の種或いは発育初期の芝生が植えられた人工土壌のほぼ上面の位置とし、
次いで、前記人工土壌内の水位を人工土壌内に植えられた芝生の根の成長に応じて芝生の根の先端部近くに位置するように下げていく調節を行うことが可能な灌水装置とからなり、
前記人工土壌は、繊維構造を有し、前記芝生の種或いは発育初期の芝生が植えられる上面側の繊維の密度が、底面側の繊維の密度より低く設定されていることを特徴とする芝生育成用ユニット。
【請求項３】
人工土壌は、複数の分割体で構成されていることを特徴とする請求項２に記載の芝生育成用ユニット。
【発明の詳細な説明】
【０００１】
【発明の属する技術分野】
本発明は、例えば、ポリエチレン等を用いた人工土壌に芝生を育成する際の芝生の育成方法及び芝生育成用ユニットに関する。
【０００２】
【背景の技術】
従来、例えば、ポリエチレン等を材料とした人工土壌に芝生の種或いは発育初期の芝生を植え、この人工土壌に芝生を育成させる場合、人工土壌の水位については特に意識することなく、大抵の場合は、常に高水位に保持させておくのが一般的であった。
【０００３】
【発明が解決しようとする課題】
しかしながら、上記説明した人工土壌を常に高水位に保持する方法では、芝生の根が横方向に成長してしまい、人工土壌の底面部には芝生の根が根付かなかったので、芝生と人工土壌との結合力が弱くなってしまうこととなって、芝生が人工土壌から取れやすいという問題点があった。
【０００４】
本発明は、上記問題点を解決するために為されたものであって、人工土壌に育成した芝生を取れにくくすることが可能な芝生の育成方法、及び人工土壌から取れにくい芝生を育成することが可能な芝生育成用ユニットを提供することを目的とする。
【０００５】
【課題を解決するための手段】
上記問題点を解決するため、請求項１記載の発明は、例えば、図１〜図３に示すように、水分を含むことが可能でかつ芝生の根が成長可能な人工土壌４による芝生の育成方法であって、
前記人工土壌４の上面４ａに芝生の種或いは発育初期の芝生を植えるとともに、前記人工土壌４内の水位を人工土壌４のほぼ上面４ａの位置とし、次いで、前記人工土壌４内の水位を人工土壌４内に植えられた芝生の根の成長に応じて根の先端部近くに位置するように下げていくことを特徴としている。
【０００６】
請求項１記載の発明によれば、人工土壌４の上面４ａに芝生の種或いは発育初期の芝生が植えられるとともに、人工土壌４内の水位が人工土壌４のほぼ上面４ａの位置とされ、次いで、前記人工土壌４内の水位が人工土壌４内に植えられた芝生の根の成長に応じて芝生の根の先端部近くに位置するように下げられる。従って、芝生の根は人工土壌４の水位が下がるに連れて縦方向に成長して人工土壌４の底面４ｂ部に根付くこととなって、従来のように人工土壌４内の水位を常に高水位に保持していたため芝生の根が横方向にしか成長しない場合に比べ、芝生と人工土壌４の結合力が強まり芝生が人工土壌から取れ難くなる。
【０００７】
ここで、人工土壌４としては、例えば、ポリプロピレン、ポリエチレンなどの樹脂を繊維状、スポンジ状にしたものを用いるが、これ以外でも水分を含むことが可能でかつ根が成長可能な材料であればどのようなものであってもよい。
【０００８】
請求項２記載の発明は、請求項１記載の芝生の育成方法による芝生育成の際に用いられる芝育成用ユニット１であって、地盤２に敷設されるとともに縁部が立ち上げられて内部に水を保持可能な遮水シート３と、前記遮水シート３上に載置され、水分を含むことが可能でかつ芝生の根が成長可能な人工土壌４と、
前記人工土壌４の水位を、芝生の種或いは発育初期の芝生が植えられた人工土壌４のほぼ上面４ａの位置とし、次いで、前記人工土壌４内の水位を人工土壌４内に植えられた芝生の根の成長に応じて芝生の根の先端部近くに位置するように下げていく調節を行うことが可能な灌水装置５とからなり、前記人工土壌は、繊維構造を有し、前記芝生の種或いは発育初期の芝生が植えられる上面側の繊維の密度が、底面側の繊維の密度より低く設定されていることを特徴としている。
【０００９】
請求項２記載の発明の芝生育成用ユニット１によれば、地盤２に敷設されるとともに縁部が立ち上げられて内部に水を保持可能な遮水シート３上に、水分を含むことが可能でかつ芝生の根が成長可能な人工土壌４が載置され、灌水装置５によって、この人工土壌４の水位が芝生の種或いは発育初期の芝生が植えられた人工土壌４のほぼ上面４ａの位置とされ、次いで、人工土壌４内の水位が人工土壌４内に植えられた芝生の根の成長に応じて芝生の根の先端部近くに位置するように下げられていく調節が行われる。従って、人工土壌４に植えられた芝生の種或いは発育初期の芝生は、灌水装置５の水位調節によって、芝生の根を縦方向に成長させて人工土壌４の底面４ｂ部に根付かせることが出来ることとなって、芝生と人工土壌４の結合力が強まり芝生が人工土壌４から取れ難い芝生を育成出来る。
【００１０】
また、遮水シート３は縁部が立ち上げられて内部に水を保持可能なので、灌水装置５により人工土壌４内の水位を調節出来るとともに、遮水シート３の下の地盤２に影響を与えることなく芝生の育成を行うことが可能となる。
【００１１】
ここで、遮水シート３の縁部を立ち上げる方法としては、例えば、角材などで縁部を形成させ、その上に遮水シート３を載せて縁部を立ち上げる方法があるが、これ以外でも、遮水シート３の縁部が立ち上げられればどのような方法であってもよい。
【００１２】
【００１３】
さらに、請求項２記載の発明によれば、人工土壌４は、繊維構造を有し、芝生の種或いは発育初期の芝生が植えられる上面４ａ側の繊維の密度が底面４ｂ側の繊維の密度より低く設定されている。従って、人工土壌４内の水位を低くした場合、上面側４ａでは、人工土壌４が水を必要以上吸収して実際の水位が高くなってしまうことを防止することが出来るとともに、底面４ｂ側では、底面４ｂ部での人工土壌４と芝生の根の結合力が強まることとなって、より芝生が人工土壌４から取れ難くなる。
【００１４】
また、人工土壌４の底面４ｂ側の繊維の密度が上面４ａ側の繊維の密度より高くなっているので、上面４ａ側が柔らかく底面４ｂ側が堅くて人工土壌４の裁断が容易となる。
【００１５】
ここで、人工土壌４の繊維の密度については、特に限定するものではないが、上面４ａ側に関しては、水分を必要以上に吸収しない程度であればよく、下面４ｂ側に関しては、人工土壌４と芝生の根の結合力を強めるため出来るだけ高密度が望ましい。
【００１６】
請求項３記載の発明は、請求項２に記載の芝生育成用ユニット１であって、前記人工土壌４は、複数の分割体４１で構成されていることを特徴としている。
【００１７】
請求項３記載の発明によれば、人工土壌４は、複数の分割体４１で構成されているので、持ち運びが便利、且つ所望の大きさの人工土壌４を形成させることが出来ることとなって、例えば、芝生が育成された人工土壌４をバルコニーなどに容易に設置することができる。
【００１８】
また、分割体４１の側面部を観察することにより育成途中での芝生の根の成長を容易に確認することが出来る。
【００１９】
【００２０】
【００２１】
【発明の実施の形態】
以下、図を参照して本発明に係る芝生の育成方法、芝生育成用ユニット及び芝生付人工土壌を詳細に説明する。図１は本発明の芝生育成用ユニットによる芝生の育成の実施の形態を示した斜視図である。図２は、図１に示した芝生育成用ユニットの側面要部の縦断面図である。
【００２２】
図１及び図２に示す芝生育成用ユニット１は、例えば、コンクリートなどの人工地盤２（地盤）上に敷設された遮水シート３、この遮水シート３上に載置された人工土壌４、この人工土壌４に水を灌水させる灌水装置５、及び前記遮水シート３の縁部を立ち上げるための角材６，６，６などにより構成されている。
【００２３】
前記遮水シート３は、例えば、ビニールシートで構成され、人工地盤２に水が浸透することを防止している。また、この遮水シート３は、縁部が角材６，６，６によって立ち上げられているので、水を遮水シート３内に保持させることが出来るとともに、この遮水シート３により人工地盤２に水による影響を与えることなく芝生の育成が可能となる。
【００２４】
前記人工土壌４は、例えば、ポリプロピレン繊維とポリエチレン繊維を一体成形したプラスチックマットにイソライト（商品名）を充填した構造になっている。この人工土壌４の上面４ａ側の繊維の密度は、底面４ｂ側の繊維の密度に比べ低く設定されていて、必要以上に水を吸収して実際の水位が高くなることがないようになっている。一方、人工土壌４の底面４ｂ側の繊維の密度は、芝生の根が成長できることを条件として可能な限り高く設定されていて成長した芝生の根と人工土壌４の結合力が強められている。また、人工土壌４の底面４ｂ側の繊維の密度が上面４ａ側の繊維の密度より高くなっているので、上面４ａ側が柔らかく底面４ｂ側が堅くて人工土壌４の裁断が容易となる。また、この人工土壌４は、人が持ち運び出来る程度の大きさに分割された分割体４１を遮水シート３上に複数載置することにより形成されている。従って、例えば、芝生が育成された人工土壌４を別の場所に移動させることが簡単に出来る。
【００２５】
前記灌水装置５は、給水部５１と灌水管５２、排水部５３などで構成されている。前記灌水管５２は、例えば、塩化ビニールから出来ていて、前記人工土壌４の外側に配置されている。そして、灌水管５２にはいくつかの噴水孔５２ａ，５２ａ，…が設けられ、給水部５１から給水された水が噴水孔５２ａ，５２ａ，…から人工土壌４の底面４ｂに灌水されるようになっている。また、人工土壌４内の水位は、排水部５３の排水口５３ａの開閉により調節されるようになっている。
【００２６】
次に、図３の芝生の育成を模式的に示した図を用いて、本発明に係る芝生の育成方法について詳細に説明する。まず、図３の（ａ）に示すように、人工土壌４の上面４ａに芝生の種或いは発育初期の芝生を植えるとともに、給水部５１を作動させて水を灌水管５２を介して人工土壌４のほぼ上面４ａの位置Ａ（高水位）まで灌水させる。
【００２７】
続いて、図３の（ｂ）に示すように、給水部５１からの水の給水量と排水部５３での水の排出の調節によって、人工土壌４内の水位を人工土壌４内に植えられた芝生の根の成長に応じて芝生の根の先端部近くに位置（位置Ｂ）するように下げていく。このとき、芝生の根の成長の確認は、人工土壌４の分割体４１を人工土壌４から剥がし、この分割体４１の側面部を観察することによって行うことが出来る。
【００２８】
そして、最終的には、図３の（ｃ）に示すように、人工土壌４の底面４ｂにほぼ達する程度にまで芝生の根を成長させることにより、芝生を人工土壌４上に育成（芝生付人工土壌）させる。
【００２９】
以上説明した芝生の育成方法によれば、芝生の根は人工土壌４の水位が下がるに連れて縦方向に成長して人工土壌４の底面４ｂに根付くこととなって、従来の人工土壌４内の水位を常に高水位に保持していたため芝生の根が横方向にしか成長しない場合に比べ、芝生と人工土壌４の結合力が強まり芝生が人工土壌４から取れ難くなる。
【００３０】
また、上記説明した芝生育成用ユニット１を用いることにより、人工土壌４に植えられた芝生の種或いは発育初期の芝生は、灌水装置５の水位調節によって、芝生の根を縦方向に成長させて人工土壌４の底面４ｂ部に根付かせることが出来ることとなって、芝生の根と人工土壌４の結合力が強く取れにくい芝生を人工土壌４上に育成（芝生付人工土壌４）させることが出来る。
【００３１】
また、人工土壌４は、繊維構造を有し、芝生の種或いは発育初期の芝生が植えられる上面４ａ側の繊維の密度が底面４ｂ側の繊維の密度より低く設定されているので、人工土壌４内の水位を低くした場合、人工土壌４が水を必要以上吸収して実際の水位が高くなってしまうことを防止することが出来るとともに、底面４ｂ側では、人工土壌４と芝生の根の結合力が強まることとなって、より芝生が人工土壌４から取れ難くなる。
【００３２】
また、上記説明した芝生付人工土壌４によれば、芝生の根を底部まで成長させているので、従来の人工土壌４内の水位を常に高水位に保持していたため芝生の根が横方向にしか成長しない場合に比べ、芝生と人工土壌４の結合力が強まり芝生が人工土壌４から取れ難くなる。
【００３３】
【発明の効果】
請求項１記載の発明によれば、人工土壌の上面に芝生の種或いは発育初期の芝生が植えられるとともに、人工土壌内の水位が人工土壌のほぼ上面の位置とされ、次いで、人工土壌内の水位が人工土壌内に植えられた芝生の根の成長に応じて芝生の根の先端部近くに位置するように下げられる。従って、芝生の根は人工土壌の水位が下がるに連れて縦方向に成長して人工土壌の底面部に根付くこととなって、従来のように人工土壌内の水位を常に高水位に保持していたため芝生の根が横方向にしか成長しない場合に比べ、芝生と人工土壌の結合力が強まり芝生が人工土壌から取れ難くなる。
【００３４】
請求項２記載の発明の芝生育成用ユニットによれば、地盤に敷設されるとともに縁部が立ち上げられて内部に水を保持可能な遮水シート上に、水分を含むことが可能でかつ芝生の根が成長可能な人工土壌が載置され、灌水装置によって、この人工土壌の水位が芝生の種或いは発育初期の芝生が植えられた人工土壌のほぼ上面の位置とされ、次いで、人工土壌内の水位が人工土壌内に植えられた芝生の根の成長に応じて芝生の根の先端部近くに位置するように下げられていくように調節される。従って、人工土壌に植えられた芝生の種或いは発育初期の芝生は、灌水装置の水位調節によって、芝生の根を縦方向に成長させて人工土壌の底面部に根付かせることが出来ることとなって、芝生と人工土壌の結合力が強まり芝生が人工土壌から取れ難い芝生を育成出来る。
また、遮水シートは縁部が立ち上げられて内部に水を保持可能なので、灌水装置により人工土壌内の水位を調節出来るとともに、遮水シートの下の地盤に影響を与えることなく芝生の育成を行うことが可能となる。
【００３５】
さらに、請求項２記載の発明によれば、人工土壌は、繊維構造を有し、芝生の種或いは発育初期の芝生が植えられる上面側の繊維の密度が底面側の繊維の密度より低く設定されているので、人工土壌内の水位を低くした場合、上面側では、人工土壌が水を必要以上吸収して実際の水位が高くなってしまうことを防止することが出来るとともに、底面側では、底面部での人工土壌と芝生の根の結合力が強まることとなって、より芝生が人工土壌から取れ難くなる。また、人工土壌の底面側の繊維の密度が上面側の繊維の密度より高くなっているので、上面側が柔らかく底面側が堅くて人工土壌の裁断が容易となる。
【００３６】
請求項３記載の発明によれば、人工土壌は、複数の分割体で構成されているので、持ち運びが便利、且つ所望の大きさの人工土壌を形成させることが出来ることとなって、例えば、芝生が育成された人工土壌をバルコニーなどに容易に設置することができる。また、分割体の側面部を観察することにより育成途中での芝生の根の成長を容易に確認することが出来る。
【００３７】
【図面の簡単な説明】
【図１】  本発明の芝生育成用ユニットによる芝生の育成の実施の形態を示した斜視図である。
【図２】  図１に示す芝生育成用ユニットの側面要部の縦断面図である。
【図３】  本発明に係る芝生育成方法による芝生の根の成長過程を模式的に示した図である。
【符号の説明】
１    芝生育成用ユニット
２    人工地盤（地盤）
３    遮水シート
４    人工土壌
５    灌水装置
６    角材
４１    分割体
５１    給水部
５２    灌水管
５３    排水部
【図１】
0003872166.tif 000002
【図２】
0003872166.tif 000003
【図３】
0003872166.tif 000004